(57)【要約】【課題】主に、小型で低コストでありながら、洗剤を布製品の内部にまで十分に入り込ませることができる部分洗い装置を提供し得るようにする。【解決手段】把持部４と、把持部４に対して往復運動可能に取付けられた布叩き部５と、把持部４に布叩き部５の周囲を囲うように取付けられて把持部４と布製品１との間隔を一定に保持可能な間隔保持部６と、を備えた部分洗い装置３を設けるようにする。  布叩き部５は、布叩き部５の往復運動の方向へ延びる毛を有するブラシ７を備えたものとする。  この際、間隔保持部６が、把持部４から離れるに従って拡がるテーパ形状を有しても良い。【選択図】図２
2019088361.tif 000002
【特許請求の範囲】
【請求項１】
把持部と、該把持部に対して往復運動可能に取付けられた布叩き部と、前記把持部に前記布叩き部の周囲を囲うように取付けられて前記把持部と布製品との間隔を一定に保持可能な間隔保持部とを備え、
前記布叩き部が、布叩き部の往復運動の方向へ延びる毛を有するブラシを備えていることを特徴とする部分洗い装置。
【請求項２】
請求項１に記載の部分洗い装置において、
前記間隔保持部が、前記把持部から離れるに従って拡がるテーパ形状を有していることを特徴とする部分洗い装置。
【発明の詳細な説明】
【技術分野】
【０００１】
この発明は、部分洗い装置に関するものである。
【背景技術】
【０００２】
衣類などの布製品の汚れを落とすのに、洗濯機が用いられているが、布製品には、例えば、襟汚れや袖口の汚れや靴下の汚れなどのように、洗濯機だけでは落としきれない汚れが付いている場合がある。
【０００３】
このような、洗濯機だけでは落としきれない布製品の汚れを落とすために、様々な対処がなされている。例えば、部分的な汚れを有する布製品を予め洗剤を溶かした水やお湯に長時間漬け置いてから洗濯機へ入れて洗濯したり、汚れに部分的に洗剤の原液を付着させてから洗濯機へ入れて洗濯したり、汚れを予め部分的に手洗いしてから洗濯機へ入れて洗濯したりするなどしている。しかし、これらの対処方法は、手間や時間がかかったり、手間や時間を掛けた割には汚れがきれいに落ちなかったりする。そのため、手間や時間を掛けずに上記したような汚れを落とすことができる新たな手段が望まれている。
【０００４】
一方、布製品に付着したシミなどの汚れを取るために、ハンディタイプのシミ除去装置なども開発されている（例えば、特許文献１参照）。
【先行技術文献】
【特許文献】
【０００５】
【特許文献１】特開２０１７−１０４２６８号公報
【発明の概要】
【発明が解決しようとする課題】
【０００６】
上記特許文献１に記載されたシミ除去装置は、シミ抜き液を用いてシミを溶かすと共に、平坦な押圧面を有する樹脂製や金属製のパットで布製品を表面側から叩くように押すことで、シミ抜き液によって溶かされたシミの成分を布製品の裏面側へと移動させ、布製品の裏面側に配置した当布にシミの成分を移すようにして、シミを除去するものとなっている。
【０００７】
そのために、上記したシミ除去装置は、シミ抜き液を貯めるタンクやシミ抜き液をシミに滴下するためのノズルなどを有する洗剤供給部を備えるようにしていたので、ハンディタイプという割には装置が大きくなってしまい、取り扱いが面倒なものとなっていた。また、洗剤供給部を有している分だけコストも高くなっていた。
【０００８】
また、シミ抜き液は、粘度が低い溶剤であるため自ら布製品に含浸して行くのに対し、液体洗剤などの洗剤は、濃縮されるなどにより粘度が高くなっているため自ら布製品に含浸して行くようなことは起こり難いので、例えば、粘度の低いシミ抜き液に代えてより粘度の高い液体洗剤を用いた場合に、パットの押圧面による叩きだけでは布製品の内部にまで液体洗剤をうまく入り込ませることができなかった。よって、上記したシミ除去装置をそのまま部分洗いのために用いたとしても、十分な部分洗い効果は期待できなかった。
【０００９】
そこで、本発明は、主に、上記した問題点を解決することを目的としている。
【課題を解決するための手段】
【００１０】
上記課題を解決するために、本発明は、
把持部と、該把持部に対して往復運動可能に取付けられた布叩き部と、前記把持部に前記布叩き部の周囲を囲うように取付けられて前記把持部と布製品との間隔を一定に保持可能な間隔保持部とを備え、
前記布叩き部が、布叩き部の往復運動の方向へ延びる毛を有するブラシを備えている部分洗い装置を特徴とする。
【発明の効果】
【００１１】
本発明によれば、上記構成によって、小型で低コストでありながら、洗剤を布製品の内部にまで十分に入り込ませることができる部分洗い装置を提供することなどができる。
【図面の簡単な説明】
【００１２】
【図１】本実施の形態にかかる部分洗い装置の使用状況を示す斜視図である。
【図２】図１の部分洗い装置の全体斜視図である。
【図３】図２の部分の洗い装置のＡ−Ａ線に沿った断面図である。
【図４】図３の往復機構周辺の部分拡大図である。
【図５】図４の作動図である。
【発明を実施するための形態】
【００１３】
以下、本実施の形態を、図面を用いて詳細に説明する。
図１〜図５は、この実施の形態を説明するためのものである。
【実施例１】
【００１４】
＜構成＞以下、この実施例の構成について説明する。
【００１５】
図１に示すように、洗濯機だけでは落としきれない布製品１の汚れ２などを落とすために部分洗い装置３を設ける。
【００１６】
以下、部分洗い装置３について説明する。
【００１７】
（１）図２に示すように、この部分洗い装置３は、把持部４と、把持部４に対して往復運動可能に取付けられた布叩き部５と、把持部４に布叩き部５の周囲を囲うように取付けられて把持部４と布製品１との間隔を一定に保持可能な間隔保持部６と、を備えている。
そして、布叩き部５は、布叩き部５の往復運動の方向へ延びる毛を有するブラシ７を備えるものとされている。
【００１８】
ここで、部分洗い装置３は、部分洗いを効果的に行うための電動式の洗濯補助具である。部分洗い装置３は、手持ち操作が容易な小型のもの（ハンディタイプのもの）とされる。
【００１９】
把持部４は、部分洗い装置３の本体となるものであり、部分洗いを行う者が、手に持って操作することができれば、どのような形状としても良い。この実施例では、把持部４は、使用状態で軸線８がほぼ上下方向９に向いたほぼ円筒状のものとされている。以下、上下という場合には、使用状態にした把持部４を基準とする（図２〜図５は図面の関係上、上下方向９が横に向いている）。把持部４の内部構造については後述する。
【００２０】
布叩き部５は、布製品１を表面側から叩いて洗剤を布製品１の内奥部まで入り込ませるためのものとされる。布叩き部５は、把持部４の外部に設置される。往復運動は、布叩き部５を布製品１に対して近接離反動させる方向（往復方向）の動きのことである。この実施例では、布叩き部５は、円筒状の把持部４の下側となる位置に上下方向９へ往復移動可能に設置されている。布叩き部５は、円筒状をした把持部４の中心（軸心位置）に設置するのが好ましい。布叩き部５の叩き回数は、布製品１を傷めずに最大限の部分洗い効果が得られるように、例えば、１秒間に１４〜１５回（８５０〜９００回／分）程度などとする。但し、叩き回数は、これに限るものではない。
【００２１】
布製品１は、主に衣類のことである。布製品１は、洗濯機だけでは落としきれない汚れ２が付着したものを主な対象としている。
【００２２】
洗濯機だけでは落としきれない汚れ２は、主に、皮脂汚れや泥汚れなどである。シミなども汚れ２に含むことができる。
【００２３】
間隔保持部６は、部分洗い装置３を使用する時に、把持部４と布製品１との間隔を一定に保持することができれば、どのような形状や構造としても良い。この実施例では、布叩き部５を外側から目視できるように、間隔保持部６を透明な樹脂製の筒状体としている。間隔保持部６の先端部（下端部）は、布製品１に対する当接部となり、布叩き部５は、往復運動によって間隔保持部６の先端部から出たり入ったりすることで（図４、図５参照）、布製品１を叩くことができる。間隔保持部６は、布叩き部５が布製品１を面直方向に叩くように間隔を保持するものとするのが好ましい。
【００２４】
布叩き部５は、少なくともその一部にブラシ７を有していれば良いが、この実施例では、布叩き部５の全体がブラシ７となっている。
【００２５】
ブラシ７は、ほぼ布叩き部５の往復方向（把持部４の軸線方向または上下方向９の下側）へ向けて延びる毛を複数本束ねたものとされる。ブラシ７の毛には、例えば、樹脂製の毛状体や、植物繊維や、獣毛などを適宜使用することができる。ブラシ７は、消耗品となるため、着脱交換可能にする。交換用のブラシ７は、汚れ２の種類や布製品１の素材などに応じて選択できるように、大きさや、形状や、毛の硬さや太さや本数などの異なる各種ものが用意される。この実施例では、ブラシ７は、ほぼ円柱状となるように毛を束ねた標準的なものとなっている。なお、上記したような汚れ２に対しては、ブラシ７を用いることが最も有効ではあるが、必要な場合には、布叩き部５として、ブラシ７以外のパットなどを取付けて使用することを妨げるものではない。
【００２６】
（２）間隔保持部６は、把持部４から離れるに従って拡がるテーパ形状を有するようにしても良い。
【００２７】
ここで、テーパ形状は、間隔保持部６に対して部分的にでも設けられていれば良いが、間隔保持部６は、全体として１つの連続したテーパ形状を有するもの（テーパ状部材１１）とするのが好ましい。そのために、間隔保持部６は、把持部４の側が小径部６ａとされると共に、先端部が大径部６ｂとされ、側面が小径部６ａと大径部６ｂを滑らかに繋ぐ傾斜面とされている。この実施例では、小径部６ａは、円筒状をした把持部４と接続し易いように把持部４とほぼ同径か若干大径のものとされると共に、大径部６ｂは、洗剤を入れた容器が中へ入る大きさなどとされており、全体として円錐台状または截頭円錐状に形成されている。洗剤を入れた容器は、ありあわせの小皿や、洗剤をブラシ７に含ませるための専用の洗剤容器などとすることができる。そのために、大径部６ｂは、把持部４の直径のほぼ１．５倍〜２．５倍程度の径寸法などにしている。洗剤には、市販の液体洗剤や、専用の洗剤または汚れ落とし液などを用いることができる。場合によっては、シミ抜き液などを用いることもできる。
【００２８】
（３）以下、図３〜図５を用いて、把持部４の内部構造について説明する。
【００２９】
把持部４は、例えば、半割円筒状をした２つの分割片によって構成される。２つの分割片は、互いに組み合わせた状態で、ネジなどの固定具によって互いに締結固定されて一体化される。
【００３０】
把持部４の内部には、下側（布叩き部５の側）から順に、布叩き部５を往復運動可能に支持する往復支持部２１と、往復支持部２１に支持された布叩き部５を往復運動させる往復機構２２と、往復機構２２に電力を供給可能な電源部２３とが収容される。
【００３１】
まず、往復支持部２１は、往復方向へ延びる移動軸３１と、この移動軸３１の往復方向への移動を案内する一対のガイド部３２，３３とを備えている。ガイド部３２，３３は、把持部４を半径方向に仕切る仕切壁部などとなっており、把持部４の軸心位置に設けた軸穴部にて移動軸３１を移動自在に保持するようになっている。このうち、一方のガイド部３２は、移動軸３１の下端側の位置に設けられ、他方のガイド部３３は、移動軸３１の上端側の位置に設けられる。
【００３２】
そして、一方のガイド部３２は、軸穴部が移動軸３１よりも大径とされると共に、移動軸３１の外周には、スライド筒３４が同心且つ一体となって移動可能に取付けられている。スライド筒３４は、上端側が開口した有底円筒形状をしており、下端面が移動軸３１に固定されている。スライド筒３４は、一方のガイド部３２に設けた大径の軸穴部に摺接嵌合される。
【００３３】
また、他方のガイド部３３は、その上面側に、軸穴部の周囲を取り囲むほぼ筒状をした短い案内筒３５が一体に取付けられている。
【００３４】
更に、スライド筒３４と他方のガイド部３３との間には、移動軸３１を下方（布叩き部５の突出方向）へ向けて常時付勢する付勢手段３６が介装されている。この付勢手段３６は、移動軸３１の外周に軽圧縮状態で外嵌されたコイルバネなどとされている。
【００３５】
加えて、移動軸３１は下端側に開口された有底の筒状とされており、移動軸３１の内部には、把持部４の下端面を貫通する金属製の取付軸３７が嵌合固定されている。取付軸３７が貫通する把持部４の下端面には、把持部４内への洗剤の入り込みを防止するためのシール部３８が設けられる。布叩き部５は、把持部４の外に出ている移動軸３１の下端部に対して着脱交換可能に取付けられる。
【００３６】
次に、往復機構２２は、回転駆動装置４１と、回転駆動装置４１の回転数を減速する減速機構４２と、減速機構４２の回転運動を布叩き部５の往復運動に変換する変換機構４３とを備えている。
【００３７】
回転駆動装置４１は、モータで構成され、その出力軸を把持部４の軸心位置にほぼ一致させた状態で、（軸線方向の）下側へ向けて設置されている。
【００３８】
減速機構４２は、回転駆動装置４１の下側に設けられ、モータの出力軸に取付けられたウォームギヤ４２ａと、ウォームギヤ４２ａに噛み合う小径歯車４２ｂと、小径歯車４２ｂと同軸上に設けられた大径歯車４２ｃと、大径歯車４２ｃに噛み合う大径の最終歯車４２ｄとを有している。これらの各歯車は、把持部４に設けられた軸支持部や軸部などによって適宜支持されている。なお、減速機構４２の構成は、上記に限るものではない。
【００３９】
変換機構４３は、最終歯車４２ｄと同軸上に設けられたカム４５と、カム４５の回転によって操作される操作レバー４６とを有している。カム４５は、少なくとも周方向の１箇所の位置に突出部４５ａを有しており、操作レバー４６は、突出部４５ａに引っ掛かる突起部４６ａを突出部４５ａ側の端部に有している。なお、突出部４５ａの設置個数については１箇所に限るものではなく、２箇所以上の複数箇所としても良い。
【００４０】
操作レバー４６は、把持部４の軸心位置から外れた位置で往復方向へ延びると共に、下端側に把持部４の軸心位置へ向かって屈曲する屈曲部４６ｂを有しており、屈曲部４６ｂが他方のガイド部３３よりも上側の位置で移動軸３１の上端部に一体に接続されている。
【００４１】
これにより、操作レバー４６は、屈曲部４６ｂが他方のガイド部３３に当たることによって、下側への移動を規制されることになる。即ち、他方のガイド部３３は、操作レバー４６のストッパとして機能するものとなっている。なお、必要に応じて、他方のガイド部３３や案内筒３５には、操作レバー４６の部分的な入り込みを許容可能な切込部が設けられると共に、他方のガイド部３３からは、操作レバー４６を往復方向に案内するガイド壁４７が一体に設けられる。
【００４２】
そして、図４の状態から、カム４５を図中時計回りに回転すると、突出部４５ａが突起部４６ａに引っ掛かって、図５に示すように、操作レバー４６および移動軸３１が、付勢手段３６を圧縮しつつ把持部４の上端側へと移動される。これにより、布叩き部５が引き上げられる。
【００４３】
更に、カム４５を回転すると、突出部４５ａが突起部４６ａから外れて、圧縮された付勢手段３６の付勢力が解放され、図４に示すように、操作レバー４６および移動軸３１が把持部４の下端側へと移動される。これにより、布叩き部５が布製品１へ向けて打ち出される。以後、上記を繰り返すことによって、布叩き部５が付勢手段３６の付勢力によって布製品１を叩く動作（往復運動）を繰り返し行うことになる。
【００４４】
最後に、電源部２３は、乾電池を収容可能な電池ボックスとなっている。電池ボックスは、その中心軸を把持部４の軸線８とほぼ一致させた状態で把持部４内に設置される。また、把持部４の外側面には、電源部２３と回転駆動装置４１との間を電気的にオン・オフするための電源スイッチ５１が設けられる。この電源スイッチ５１は、一回押すとオンになり、もう一回押すとオフになるプッシュロックスイッチなどとすることができる。
【００４５】
上記部分洗い装置３では、電源部２３や回転駆動装置４１や布叩き部５などの主要部品は、その中心が、把持部４の軸心位置とほぼ一致するように配置されており、これによって、部分洗い装置３を、最も小型軽量でバランスが良く取り扱い易くなるようにしている。
【００４６】
＜作用効果＞この実施例によれば、以下のような作用効果を得ることができる。
【００４７】
（作用効果１）部分洗い装置３は、把持部４を手で持った状態で間隔保持部６の先端を布製品１へ押し当て、洗剤を付けた布叩き部５を把持部４に対し往復運動させることで、布叩き部５で布製品１を叩いて、布製品１を部分洗いするようにしたものである。
【００４８】
このように、部分洗い装置３を、把持部４と、布叩き部５と、間隔保持部６とで構成することにより、部分洗い装置３を、小型軽量でコストの低いものとすることができる。
【００４９】
この際、布叩き部５の周囲を囲う間隔保持部６を設けることで、布叩き部５による往復運動のストロークや布製品１を叩く力加減を一定に保って、布製品１を痛めることなく効果的に部分洗いすることができる。部分洗いが済んだ布製品１は、その後、洗濯機へ入れて洗濯する。
【００５０】
そして、布叩き部５を、ブラシ７を有するものにした。これにより、ブラシ７は多数の毛の間に多量の洗剤を溜め込むことができるので、ブラシ７に溜めた洗剤だけで広い面積を一度に部分洗いすることが可能になる。よって、ブラシ７に洗剤を付けながら作業を行ったとしても、少ない回数付けるだけで部分洗いができるので、把持部４の内部に洗剤タンクや洗剤供給ノズルなどを有する洗剤供給部を設置する必要をなくすことができ、その分、構造を簡略化して、把持部４を小型軽量化したり、低価格化を図ったりすることが容易になる。但し、構造的には、洗剤供給部を設けることも可能である。
【００５１】
また、ブラシ７は、布叩き部５の往復運動の方向へ延びる複数の毛によって布製品１を複数の点でほぼ面直方向に叩くことができるため強い叩き力が得られると共に、ブラシ７の毛の一本一本が布製品１の繊維の中にまで入り込んで行けるので、ブラシ７に付けた洗剤を確実に布製品１の繊維の奥へ送って万遍なく布製品１の内部に行き渡らせることができる。
【００５２】
よって、ブラシ７を用いることで、粘度の高い液体洗剤などであっても、布製品１の内部に十分且つ確実に行き渡らせることができるようになるので、粘度の高い液体洗剤を好適に使用することができる。
【００５３】
また、例えば、布製品１の表面を平坦な押圧面で叩いたり布製品１の表面に超音波振動を与えたりする場合のように、洗剤が布製品１の表面のみで泡立ってしまって布製品１の中へ十分に入って行かないといった現象が起こるのを防止することができる。
【００５４】
以上により、部分洗いをより効果的に行うことができる。
【００５５】
（作用効果２）間隔保持部６を把持部４から離れるに従って拡がるテーパ形状にした。これにより、間隔保持部６は自立可能なものとなり、間隔保持部６を安定した状態で布製品１へ押し当てることができるようになる。よって、例えば、操作中に間隔保持部６が傾いたりすることなどがなくなり、把持部４を楽に持って部分洗いを行うことができる。
【００５６】
また、間隔保持部６をテーパ形状とすることにより、間隔保持部６は先端が広がるので、間隔保持部６の内部に洗剤容器を入れて布叩き部５に対し洗剤を直接付着させることが容易となる。
【００５７】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５８】
１    布製品
３    部分洗い装置
４    把持部
５    布叩き部
６    間隔保持部
７    ブラシ
１１  テーパ状部材
【図１】
2019088361.tif 000003
【図２】
2019088361.tif 000004
【図３】
2019088361.tif 000005
【図４】
2019088361.tif 000006
【図５】
2019088361.tif 000007